(57)【要約】【課題】簡単な構成でありながら、回転テーブルを小さな力で安定して回転させることができ、しかもコストを大幅に低減できる手動式の回転テーブル装置を実現する。【解決手段】手動式回転テーブル装置は、回転テーブル１と、この回転テーブル１を回転させるための操作ハンドル２と、この操作ハンドル２の操作力を回転テーブル１に伝達する動力伝達機構３とを備えている。動力伝達機構３は、複数の歯部４１が外周に形成された回転板４（スプロケット）を有しており、回転テーブル１は、回転方向に所定間隔を置いて配列された複数の案内ロッド５を外周付近に有している。案内ロッド５は、回転板４と対向する位置で、回転板４の歯部４１間の凹部４２に入り込み、操作ハンドル２の操作に連動して回転板４が回転すると、回転板４の歯部４１で案内ロッド５が押されて回転テーブル１が回転する。【選択図】図３
2019100028.tif 000002
【特許請求の範囲】
【請求項１】
回転テーブルと、
前記回転テーブルを回転させるための操作ハンドルと、
前記操作ハンドルの操作力を前記回転テーブルに伝達する動力伝達機構と、を備え、
前記動力伝達機構は、複数の歯部が外周に形成された回転板を有しており、
前記回転テーブルは、回転方向に所定間隔を置いて配列された複数の案内ロッドを外周付近に有しており、
前記案内ロッドは、前記回転板と対向する位置で、当該回転板の歯部間の凹部に入り込み、
前記操作ハンドルの操作に連動して前記回転板が回転し、当該回転板の歯部で前記案内ロッドが押されて前記回転テーブルが回転することを特徴とする手動式回転テーブル装置。
【請求項２】
前記回転板は、前記凹部がＶ字状に形成されたスプロケットであり、
前記案内ロッドは、軸と、この軸の回りに回転するローラとを有するコンベア用ホイールであることを特徴とする、請求項１に記載の手動式回転テーブル装置。
【請求項３】
前記回転テーブルの回転を規制するためのブレーキレバーと、
前記ブレーキレバーの操作に連動して作動し、前記動力伝達機構による動力伝達を制限するブレーキ機構とを設けたことを特徴とする、請求項１または２に記載の手動式回転テーブル装置。
【請求項４】
前記回転テーブルは、その下面にキャスターを備えていることを特徴とする、請求項１ないし３のいずれかに記載の手動式回転テーブル装置。
【請求項５】
前記回転テーブルは、周方向に分割された複数のテーブルユニットから構成されていることを特徴とする、請求項１ないし４のいずれかに記載の手動式回転テーブル装置。
【発明の詳細な説明】
【技術分野】
【０００１】
本発明は、回り舞台や遊具などに用いられる回転テーブル装置に関し、特に、操作ハンドルの操作によって回転テーブルを回転させる手動式の回転テーブル装置に関する。
【背景技術】
【０００２】
劇場などに設置される回り舞台は、たとえば後掲の特許文献１および２に示されているように、回転テーブルの駆動源としてモータを用い、モータを駆動することで回転テーブルを回転させるものが一般的である。また、遊園地やレジャーランドなどに設置されるメリーゴーラウンド（Merry Go Round）などにおいても、たとえば特許文献３に示されているように、回転テーブルの駆動源にはモータが用いられている。
【０００３】
しかしながら、回転テーブルの駆動源にモータを用いると、装置全体の構成が複雑となってコストが高くなるとともに、消費電力も増大する。一方、子供向けのイベント会場などで一時的に設置される回転式のステージなどでは、わざわざモータを用いるまでもなく、手動で回転テーブルを回転させれば十分な場合がある。
【０００４】
手動式の回転テーブル装置を構成するにあたって必要とされるのは、操作ハンドルと、この操作ハンドルの回転力を回転テーブルに伝達する動力伝達機構である。この場合、動力伝達機構の動力を回転テーブルの外周に作用させることで、てこの原理に基づき、操作ハンドルに加える力が小さくても、回転テーブルに大きな回転力を与えることができる。
【０００５】
動力伝達機構として典型的なものは、ギヤを有する歯車である。しかし、動力伝達機構の歯車のギヤを、回転テーブルの外周に設けたギヤと噛み合わせて回転テーブルを回転させようとした場合、各ギヤのピッチに高精度が要求される。ピッチがわずかでもずれていると、ギヤがうまく噛み合わず、回転テーブルを円滑に回転できなくなる。特に、回転テーブルが回転方向に分割された複数のテーブルユニットから構成される場合は、各ユニットの外周にギヤが設けられるので、隣接するユニット間にわずかな隙間が存在しても、ギヤのピッチにズレが生じる結果となる。また、回転テーブルの外周にギヤを設けるとなると、大径の回転テーブルの場合、コストが大幅に増大する。
【先行技術文献】
【特許文献】
【０００６】
【特許文献１】特開２００３−２４６５７号公報
【特許文献２】特開２００８−２４０４７８号公報
【特許文献３】特開平９−５６９３１号公報
【発明の概要】
【発明が解決しようとする課題】
【０００７】
本発明は、上記の問題点に鑑み、簡単な構成でありながら、回転テーブルを小さな力で安定して回転させることができ、しかもコストを大幅に低減できる手動式の回転テーブル装置を実現することを課題としている。
【課題を解決するための手段】
【０００８】
本発明の手動式回転テーブル装置は、回転テーブルと、この回転テーブルを回転させるための操作ハンドルと、操作ハンドルの操作力を回転テーブルに伝達する動力伝達機構とを備えている。動力伝達機構は、複数の歯部が外周に形成された回転板を有しており、回転テーブルは、回転方向に所定間隔を置いて配列された複数の案内ロッドを外周付近に有している。案内ロッドは、回転板と対向する位置で、回転板の歯部間の凹部に入り込み、操作ハンドルの操作に連動して回転板が回転すると、回転板の歯部で案内ロッドが押されて回転テーブルが回転する。
【０００９】
本発明では、操作ハンドルを操作して回転板が回転すると、回転テーブルの外周付近の案内ロッドが回転板の歯部で押されて、回転テーブルが回転するので、小さな力で回転テーブルを回転できるとともに、回転テーブルの外周にギヤを設ける必要がないので、構成が簡単となってコストの増大を抑制できる。また、回転板から回転テーブルへの動力伝達にギヤの噛み合わせを用いないため、案内ロッドの間隔に多少のばらつきがあっても、回転テーブルの回転に支障が生じることがない。さらに、回転テーブルの駆動源にモータを用いないので、省エネルギー化にも資するものとなる。
【００１０】
本発明において、回転板には、Ｖ字状の凹部を有するスプロケットを用いることができ、案内ロッドには、軸とローラとを有するコンベア用ホイールを用いることができる。また、回転テーブルの回転を規制するためのブレーキレバーと、ブレーキレバーの操作に連動して作動し、動力伝達機構による動力伝達を制限するブレーキ機構を設けることもできる。回転テーブルは、その下面にキャスターを備えていてもよい。また、回転テーブルは、周方向に分割された複数のテーブルユニットから構成されていてもよい。
【発明の効果】
【００１１】
本発明によれば、回転テーブルを小さな力で安定して回転させることが可能な手動式回転テーブル装置を、簡単な構成と低コストで実現することができる。
【図面の簡単な説明】
【００１２】
【図１】本発明の手動式回転テーブル装置の上面図である。
【図２】本発明の手動式回転テーブル装置の側面図である。
【図３】図１の動力伝達部付近の拡大図である。
【図４】図２の動力伝達部付近の拡大図である。
【発明を実施するための形態】
【００１３】
以下、本発明の手動式回転テーブル装置（以下、単に「回転テーブル装置」という。）につき、図１〜図４を参照しながら説明する。
【００１４】
図１に示すように、回転テーブル装置Ａは、円盤状の回転テーブル１と、この回転テーブル１を回転させるための操作ハンドル２と、操作ハンドル２の操作力を回転テーブル１に伝達する動力伝達機構３とを備えている。
【００１５】
回転テーブル１は、図２に示すように、基台６に支持された回転軸８に連結されており、操作ハンドル２を廻すことによって、動力伝達機構３を介して回転力が与えられ、回転軸８を中心として回転する。回転テーブル１は、図１に示すように、周方向に分割（本例では８分割）された複数のテーブルユニット１ａから構成されている。各テーブルユニット１ａは、ボルトなどの固定部材によって連結されている。
【００１６】
図２からわかるように、本例では回転テーブル１の上面に設置物が存在しない。このため、回転テーブル装置Ａは、たとえばコンサート会場の回り舞台として用いることができる。しかしながら、本発明の回転テーブル装置Ａは、このような回り舞台に限らず、たとえば遊園地におけるメリーゴーラウンドの木馬や、コーヒーカップの乗り物などを回転テーブル１の上面に搭載して、子供向けのイベント会場などに設置される遊具として用いることも可能である。
【００１７】
回転テーブル１の外周付近の下面には、回転方向に所定間隔を置いて配列された複数の案内ロッド５が設けられている。図３および図４に示すように、案内ロッド５は、軸５１と、軸５１の回りに回転するローラ５２とを有している。この案内ロッド５としては、市販のコンベア用ホイールを用いることができる。
【００１８】
図２に示すように、回転テーブル１の下面にはキャスター９、１０が設けられている。キャスター９は、回転テーブル１の回転に伴って、基台６の周囲に配置されたレール台７の上面を滑動し、キャスター１０は、基台６の上面を滑動する。これらのキャスター９、１０によって、回転テーブル１は回転軸８の周りを円滑に回転する。また、基台６にも、基台６を回転テーブル１ごと移動させるためのキャスター１１が備わっている。
【００１９】
図３および図４に示すように、操作ハンドル２は、把持部２１とハンドル本体２２とを備えている。動力伝達機構３は、フレーム３０、ハンドル軸３１、第１傘歯車３２、第２傘歯車３３、および回転板４を備えている。ハンドル軸３１の一端は、ハンドル本体２２に連結されている。ハンドル軸３１の他端は、第１傘歯車３２に連結されている。第１傘歯車３２には、第２傘歯車３３が連結されている。第２傘歯車３３は、スプロケット軸３５と一体に形成された歯車軸３４に連結されている。
【００２０】
回転板４は、スプロケット軸３５に連結されている。以下、回転板４をスプロケット４と表記する。図３に示すように、スプロケット４の外周には複数の歯部４１が形成されているとともに、歯部４１間にＶ字状の凹部４２が形成されている。回転テーブル１に設けられている案内ロッド５は、スプロケット４と対向する位置で、スプロケット４の歯部４１間の凹部４２に入り込むようになっている。案内ロッド５が凹部４２に入り込んだ状態では、案内ロッド５と歯部４１との間に、スペース（いわゆる「遊び」）が形成される。
【００２１】
動力伝達機構３には、さらに、回転テーブル１の回転を規制するためのブレーキレバー１２と、このブレーキレバー１２の操作に連動して作動し、動力伝達機構３による動力伝達を制限するブレーキ機構とが備わっている。ブレーキ機構は、寸切ボルト１３、ストッパボルト１４、およびフランジ部材１５から構成される。
【００２２】
ブレーキレバー１２は、寸切ボルト１３の一端に形成されたネジ孔１３ａにおいて、寸切ボルト１３と連結されている。寸切ボルト１３の他端には、ストッパボルト１４の脚部がねじ込まれている。ストッパボルト１４の頭部は、ゴムで形成されている。寸切ボルト１３は、全長にわたってネジが形成されたボルトであって、ブラケット１６に形成されたネジ孔に挿入されている。このため、寸切ボルト１３を軸としてブレーキレバー１２を回転させると、寸切ボルト１３は軸方向へ移動する。フランジ部材１５は、ハンドル軸３１と結合しており、外周にローレット加工が施されている。
【００２３】
次に、回転テーブル装置Ａの操作について説明する。操作ハンドル２の把持部２１を手で把持して、ハンドル本体２２を回転させると、ハンドル本体２２に連結されたハンドル軸３１が回転する。このハンドル軸３１の回転によって第１傘歯車３２が回転し、第１傘歯車３２の回転は第２傘歯車３３へ伝達されて、第２傘歯車３３も回転する。第２傘歯車３３が回転すると、歯車軸３４およびこれと一体のスプロケット軸３５が回転し、スプロケット軸３５に連結されたスプロケット４が、操作ハンドル２の回転方向に応じた方向へ回転する。
【００２４】
図３で説明したように、スプロケット４の凹部４２には、回転テーブル１に設けられた案内ロッド５が入り込んでいるため、スプロケット４が回転すると、スプロケット４の歯部４１で案内ロッド５が押されて回転テーブル１が回転する。回転テーブル１の回転速度は、操作ハンドル２の回転速度に応じて変化する。
【００２５】
また、回転テーブル装置Ａの使用が終わった後は、ブレーキレバー１２を操作して、回転テーブル１の回転を規制する。詳しくは、ブレーキレバー１２を所定方向へ回転させると、前述したように寸切ボルト１３が軸方向へ移動し、寸切ボルト１３に結合されたストッパボルト１４の頭部を構成するゴムが、フランジ部材１５の外周に押し付けられる。このとき、フランジ部材１５の外周にローレット加工が施されているので、ストッパボルト１４とフランジ部１５との間の摩擦力が増大する。このため、操作ハンドル２を操作してもハンドル軸３１が回転せず、スプロケット４も回転しないので、回転テーブル１が不用意に回転するのを防止することができる。
【００２６】
上述した実施形態によれば、回転テーブル１の外周付近に所定間隔を置いて案内ロッド５を配列し、この案内ロッド５がスプロケット４の凹部４２に入り込むように構成したことにより、操作ハンドル２を操作してスプロケット４が回転すると、案内ロッド５がスプロケット４の歯部４１で押されて回転テーブル１が回転する。このため、小さな力で回転テーブル１を安定して回転できるとともに、回転テーブル１の外周にギヤを設ける必要がないので、構成が極めて簡単になり、コストの増大を抑制できる。特に、案内ロッド５として、前述した市販のコンベア用ホイールなどの汎用部品を用いることで、コストを大幅に低減することができる。さらに、回転テーブル１の駆動源にモータを用いないので、省エネルギーの点でもメリットが大きい。
【００２７】
また、スプロケット４から回転テーブル１への動力伝達にギヤの噛み合わせを用いておらず、案内ロッド５と歯部４１との間に遊びが存在するため（図３）、案内ロッド５の配列ピッチに多少のばらつきがあっても、そのばらつきは上記遊びによって吸収され、回転テーブル１の回転に支障が生じることがない。このため、本例のように回転テーブル１が複数の分割されたテーブルユニット１ａから構成される場合に、隣接するユニット間に多少の隙間が存在しても、回転テーブル１を確実に回転させることができる。
【００２８】
以上述べた回転テーブル装置Ａは一例であって、本発明はこれのみに限定されるものではない。たとえば、上述した例では、軸５１とローラ５２とを有する案内ロッド５を用いたが、案内ロッド５は、ローラを有しない単なる柱状のロッドであってもよい。動力伝達機構３やブレーキ機構などの構成も、図示したものに限定されず、他の構成であってもよい。また、上述した例では、回転テーブル１が８分割のテーブルユニット１ａから構成されているが、分割数は８分割に限らず任意に選定することができ、回転テーブル１を分割しない構成を採用することもできる。その他、本発明の趣旨を逸脱しない範囲で、種々の実施形態を採用することができる。
【符号の説明】
【００２９】
Ａ    手動式回転テーブル装置
１    回転テーブル
１ａ  テーブルユニット
２    操作ハンドル
３    動力伝達機構
４    スプロケット（回転板）
４１  歯部
４２  凹部
５    案内ロッド
５１  軸
５２  ローラ
９、１０    キャスター
１２    ブレーキレバー
１３    寸切ボルト（ブレーキ機構）
１４    ストッパボルト（ブレーキ機構）
１５    フランジ部材（ブレーキ機構）
【図１】
2019100028.tif 000003
【図２】
2019100028.tif 000004
【図３】
2019100028.tif 000005
【図４】
2019100028.tif 000006
【手続補正書】
【提出日】平成30年8月28日(2018.8.28)
【手続補正１】
【補正対象書類名】特許請求の範囲
【補正対象項目名】全文
【補正方法】変更
【補正の内容】
【特許請求の範囲】
【請求項１】
回転テーブルと、
前記回転テーブルを回転させるための操作ハンドルと、
前記操作ハンドルの操作力を前記回転テーブルに伝達する動力伝達機構と、を備え、
前記動力伝達機構は、複数の歯部が外周に形成された回転板を有しており、
前記回転テーブルは、回転方向に所定間隔を置いて配列された複数の案内ロッドを外周付近に有しており、
前記案内ロッドは、前記回転板と対向する位置で、当該回転板の歯部間の凹部に入り込み、
前記操作ハンドルの操作に連動して前記回転板が回転し、当該回転板の歯部で前記案内ロッドが押されて前記回転テーブルが回転する手動式回転テーブル装置において、
前記回転板は、前記凹部がＶ字状に形成されたスプロケットであり、
前記案内ロッドは、軸と、この軸の回りに回転するローラとを有するコンベア用ホイールであることを特徴とする手動式回転テーブル装置。
【請求項２】
前記回転テーブルの回転を規制するためのブレーキレバーと、
前記ブレーキレバーの操作に連動して作動し、前記動力伝達機構による動力伝達を制限するブレーキ機構とを設けたことを特徴とする、請求項１に記載の手動式回転テーブル装置。
【請求項３】
前記回転テーブルは、その下面にキャスターを備えていることを特徴とする、請求項１または２に記載の手動式回転テーブル装置。
【請求項４】
前記回転テーブルは、周方向に分割された複数のテーブルユニットから構成されていることを特徴とする、請求項１ないし３のいずれかに記載の手動式回転テーブル装置。
【手続補正２】
【補正対象書類名】明細書
【補正対象項目名】０００８
【補正方法】変更
【補正の内容】
【０００８】
本発明の手動式回転テーブル装置は、回転テーブルと、この回転テーブルを回転させるための操作ハンドルと、操作ハンドルの操作力を回転テーブルに伝達する動力伝達機構とを備えている。動力伝達機構は、複数の歯部が外周に形成された回転板を有しており、回転テーブルは、回転方向に所定間隔を置いて配列された複数の案内ロッドを外周付近に有している。案内ロッドは、回転板と対向する位置で、回転板の歯部間の凹部に入り込み、操作ハンドルの操作に連動して回転板が回転すると、回転板の歯部で案内ロッドが押されて回転テーブルが回転する。本発明において、回転板は、Ｖ字状の凹部を有するスプロケットからなり、案内ロッドは、軸とローラとを有するコンベア用ホイールからなる。
【手続補正３】
【補正対象書類名】明細書
【補正対象項目名】０００９
【補正方法】変更
【補正の内容】
【０００９】
本発明では、操作ハンドルを操作して回転板（スプロケット）が回転すると、回転テーブルの外周付近の案内ロッド（コンベア用ホイール）が回転板の歯部で押されて、回転テーブルが回転するので、小さな力で回転テーブルを回転できるとともに、回転テーブルの外周にギヤを設ける必要がないので、構成が簡単となってコストの増大を抑制できる。また、回転板から回転テーブルへの動力伝達にギヤの噛み合わせを用いないため、案内ロッドの間隔に多少のばらつきがあっても、回転テーブルの回転に支障が生じることがない。さらに、回転テーブルの駆動源にモータを用いないので、省エネルギー化にも資するものとなる。
【手続補正４】
【補正対象書類名】明細書
【補正対象項目名】００１０
【補正方法】変更
【補正の内容】
【００１０】
本発明において、回転テーブルの回転を規制するためのブレーキレバーと、ブレーキレバーの操作に連動して作動し、動力伝達機構による動力伝達を制限するブレーキ機構を設けることもできる。回転テーブルは、その下面にキャスターを備えていてもよい。また、回転テーブルは、周方向に分割された複数のテーブルユニットから構成されていてもよい。
【手続補正５】
【補正対象書類名】明細書
【補正対象項目名】００２８
【補正方法】変更
【補正の内容】
【００２８】
以上述べた回転テーブル装置Ａは一例であって、本発明はこれのみに限定されるものではない。たとえば、動力伝達機構３やブレーキ機構などの構成は、図示したものに限定されず、他の構成であってもよい。また、上述した例では、回転テーブル１が８分割のテーブルユニット１ａから構成されているが、分割数は８分割に限らず任意に選定することができ、回転テーブル１を分割しない構成を採用することもできる。その他、本発明の趣旨を逸脱しない範囲で、種々の実施形態を採用することができる。